【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
空気取入口と空気吐出口とを含むスクリュー圧縮機であって、上記空気取入口は該空気取入口を閉成する取入バルブを有するというスクリュー圧縮機と、
上記スクリュー圧縮機よりも相当に小さな最大能力の真空デバイスであって、該真空デバイスは空気取入口および空気吐出口を有し、該真空デバイスの上記空気取入口は上記スクリュー圧縮機の上記空気吐出口と連通可能とされることで、上記空気取入口バルブが閉成されたときに該真空デバイスが上記スクリュー圧縮機から空気を吸引して上記スクリュー圧縮機を負荷解除するのを可能にするという真空デバイスと、
を備えて成る、スクリュー圧縮機の負荷解除システム。
【請求項２】
前記スクリュー圧縮機の前記空気吐出口に接続された空気リザーバと、該空気リザーバから上記スクリュー圧縮機の上記空気吐出口への空気の逆流を防止すべく配置された逆止弁とを更に含む、請求項１記載のスクリュー圧縮機の負荷解除システム。
【請求項３】
前記真空デバイスの前記空気吐出口は、該真空デバイスが圧力ブースタを構成する如く、前記空気リザーバに接続されて該空気リザーバに圧縮空気を供給する、請求項２記載のスクリュー圧縮機の負荷解除システム。
【請求項４】
当該スクリュー圧縮機の負荷解除システムは、前記真空デバイスの前記空気取入口を外気の供給源に対して選択的に連通するバルブを更に含み、
上記真空デバイスは空気量ブースタを構成する、請求項３記載のスクリュー圧縮機の負荷解除システム。
【請求項５】
当該スクリュー圧縮機の負荷解除システムは、前記空気リザーバから前記スクリュー圧縮機へと潤滑油を導く管路を更に含み、
上記潤滑油は前記真空デバイスにより上記空気リザーバへと戻される、請求項３記載のスクリュー圧縮機の負荷解除システム。
【請求項６】
前記真空デバイスの前記空気取入口と前記スクリュー圧縮機の前記空気吐出口との間の連通を開閉すべく配置されたバルブを更に含む、請求項１記載のスクリュー圧縮機の負荷解除システム。
【請求項７】
前記スクリュー圧縮機の前記空気吐出口に接続された主要空気放出通路と、
上記主要空気放出通路内に配設された逆止弁と、
上記逆止弁の下流の箇所にて、前記真空デバイスの前記空気吐出口を上記主要空気放出通路に連通する二次的空気放出通路とを更に含む、請求項１記載のスクリュー圧縮機の負荷解除システム。
【請求項８】
前記二次的空気放出通路内における逆止弁を更に含む、請求項７記載のスクリュー圧縮機の負荷解除システム。
【請求項９】
前記真空デバイスはスクリュー圧縮機から成る、請求項１記載のスクリュー圧縮機の負荷解除システム。
【請求項１０】
当該スクリュー圧縮機の負荷解除システムは、前記真空デバイスの前記空気取入口を外気の供給源に連通すべく選択的に開成可能かつ閉成可能であるバルブを更に含み、
上記真空デバイスは空気量ブースタを構成する、請求項１記載のスクリュー圧縮機の負荷解除システム。
【請求項１１】
当該モータが回転しているときは常に前記スクリュー圧縮機を駆動するために該スクリュー圧縮機に対して作用可能に接続されたモータを更に含む、請求項１記載のスクリュー圧縮機の負荷解除システム。
【請求項１２】
前記真空デバイスを駆動する液圧モータと、
上記液圧モータに対して加圧済液圧液体を供給する液圧ポンプと、
上記ポンプと連通して加圧済液圧液体を蓄積するアキュムレータと、
上記アキュムレータと上記液圧モータとの間の連通を選択的に開閉することで、上記アキュムレータからの加圧済液圧液体が上記液圧モータおよび上記真空デバイスを一時的に駆動するのを可能とするバルブとを更に含む、請求項１記載のスクリュー圧縮機の負荷解除システム。
【請求項１３】
モータと、
上記モータに作用可能に接続されることで、該モータが回転するときは常に該モータにより駆動されるスクリュー圧縮機であって、該スクリュー圧縮機は空気取入口および空気吐出口を含み、上記空気取入口は該空気取入口を閉成する取入口バルブを有するというスクリュー圧縮機と、
空気リザーバと、
上記スクリュー圧縮機の上記空気吐出口を上記空気リザーバに接続する主要空気放出通路であって、上記スクリュー圧縮機の上記空気吐出口に対する圧縮空気の逆流を防止する第1逆止弁を含む主要空気放出通路と、
上記空気リザーバから上記スクリュー圧縮機へと潤滑油を導く管路と、
上記スクリュー圧縮機よりも相当に小さな最大能力であると共に空気取入口および空気吐出口を有する真空デバイスと、
上記第1逆止弁の下流の箇所にて上記真空デバイスの上記空気吐出口を上記主要空気放出通路に連通する二次的空気放出通路であって、上記真空デバイスの上記空気吐出口に対する圧縮空気の逆流を防止する第2逆止弁を有する二次的空気放出通路と、を備え、
上記真空デバイスの上記空気取入口は上記スクリュー圧縮機の上記空気吐出口と連通することで、上記取入口バルブが閉成されたときに上記真空デバイスが上記スクリュー圧縮機からの空気を吸引して該スクリュー圧縮機を負荷解除するのを可能とする、
スクリュー圧縮機の負荷解除システム。
【請求項１４】
前記真空デバイスを駆動する液圧モータと、
上記液圧モータに対して加圧済液圧液体を供給する液圧ポンプと、
上記ポンプと連通して加圧済液圧液体を蓄積するアキュムレータと、
上記アキュムレータと上記液圧モータとの間の連通を選択的に開閉することで、上記アキュムレータからの加圧済液圧液体が上記液圧モータおよび上記真空デバイスを一時的に駆動するのを可能とするバルブとを更に含む、請求項１３記載のスクリュー圧縮機の負荷解除システム。
【請求項１５】
モータと、
掘削ストリングを支持するマストと、
上記モータに作用可能に接続されて上記掘削ストリングを回転する液圧デバイスと、
上記掘削ストリングに供給されるべきフラッシング用圧縮空気を蓄積する空気リザーバと、
上記空気リザーバと上記掘削ストリングとの間の連通を選択的に開閉するフラッシング・バルブと、
上記モータに接続されることで、該モータが回転するときは常に該モータにより駆動されるスクリュー圧縮機であって、空気取入口と、上記空気リザーバに圧縮空気を供給する空気吐出口とを含むスクリュー圧縮機と、
上記スクリュー圧縮機の上記空気取入口を閉成する取入口バルブと、
上記スクリュー圧縮機よりも相当に小さな最大能力であると共に空気取入口および空気吐出口を含む真空デバイスであって、該真空デバイスの上記空気取入口は上記スクリュー圧縮機の上記空気吐出口に連通することで、上記フラッシング・バルブおよび上記取入口バルブが閉成されたときに該真空デバイスが上記スクリュー圧縮機からの空気を吸引して上記スクリュー圧縮機を負荷解除するのを可能にするという真空デバイスとを備えて成る、
掘削装置。
【請求項１６】
前記真空デバイスを駆動する液圧モータと、
上記液圧モータに対して加圧済液圧液体を供給する液圧ポンプと、
上記ポンプと連通して加圧済液圧液体を蓄積するアキュムレータと、
上記アキュムレータと上記液圧モータとの間の連通を選択的に開閉することで、上記アキュムレータからの加圧済液圧液体が上記液圧モータおよび上記真空デバイスを一時的に駆動するのを可能とするバルブとを更に含む、請求項１５記載の掘削装置。
【請求項１７】
Ａ）その空気取入口を閉成してスクリュー圧縮機を駆動する段階と、
Ｂ）段階Ａの間において上記スクリュー圧縮機から空気を除去して該スクリュー圧縮機を少なくとも部分的に負荷解除する段階とを備えて成る、
スクリュー圧縮機の負荷解除方法。
【請求項１８】
前記段階Ｂは、前記スクリュー圧縮機から空気を吸引することで該スクリュー圧縮機を実質的に負荷解除する段階を更に備えて成る、請求項１７記載の方法。
【請求項１９】
前記段階Ｂは、前記スクリュー圧縮機の空気吐出口と連通する吸引デバイスにより上記スクリュー圧縮機から空気を吸引する段階を更に備えて成る、請求項１８記載の方法。
【請求項２０】
前記真空デバイスの前記空気吐出口からの圧縮空気を空気リザーバに供給する段階を更に含む、請求項１９記載の方法。
【請求項２１】
前記空気リザーバから前記スクリュー圧縮機に対して潤滑油を供給し、該潤滑油は前記真空デバイスにより上記空気リザーバに戻して導かれる段階を更に含む、請求項１９記載の方法。
【請求項２２】
当該方法は、前記スクリュー圧縮機に対して潤滑油の供給源から潤滑油を供給する段階を更に含み、
前記段階Ｂは、
上記スクリュー圧縮機の空気吐出口を開成し、且つ、該空気吐出口を介して上記スクリュー圧縮機から潤滑油および空気を送出する段階と、
送出された油および空気を、大気圧に維持されたタンクへと導く段階と、
上記タンクから上記油を上記供給源へと移送する段階とを備えて成る、
請求項１７記載の方法。
【請求項２３】
スクリュー圧縮機を負荷解除することにより該スクリュー圧縮機のための駆動モータの始動を促進する方法であって、
Ａ）上記スクリュー圧縮機の空気取入口を閉成する段階と、
Ｂ）上記スクリュー圧縮機よりも相当に小さな最大能力を有する真空デバイスを駆動する段階と、
Ｃ）上記真空デバイスの空気取入口を上記スクリュー圧縮機の空気吐出口に連通することで、上記真空デバイスが上記スクリュー圧縮機から空気を吸引して該スクリュー圧縮機を負荷解除する段階と、
Ｄ）上記駆動モータを始動して上記スクリュー圧縮機を駆動する段階とを備えて成る、方法。
【請求項２４】
前記真空デバイスの前記空気吐出口から圧縮空気を空気リザーバに供給する段階を更に含む、請求項２３記載の方法。
【請求項２５】
前記空気リザーバから前記スクリュー圧縮機に対して潤滑油を供給し、該潤滑油は前記真空デバイスにより上記空気リザーバに戻して導かれる段階を更に含む、請求項２４記載の方法。
【請求項２６】
前記段階Ｂは、事前加圧式液圧アキュムレータからの加圧液体により前記真空デバイスを駆動する段階を備えて成る、請求項２４記載の方法。